(57)【要約】活動的および非活動的な多くの人々は、設定を変更するため、または電話に応答するために、ポケットやどこか他の位置に手を伸ばすことなく、オーディオ体験を容易に変更することはできない。問題は、ユーザが、モータサイクルに乗っている、スキーをしている、自転車に乗っている、ジョギングしている、または冬用グローブを着けてウォーキングをしている等の場合の利便性の欠如とアクセスし難さである。本明細書に記載された電子的制御グローブは、ユーザの指先から、常に、無線による電子機器の制御の向上を可能にする。グローブは、指および親指に沿って導電材料で製造され、親指と指の導電材料の接触により閉回路を形成し、グローブの制御機器に送信され、次いで、作業環境における携帯電話、オーディオプレイヤー、ガレージドアオープナー、軍用ハードウェアならびにソフトウェア等の遠隔電子機器に無線でメッセージを送信することができる。【選択図】図１０
2013546057.tif 000002
【特許請求の範囲】
【請求項１】
電子的制御グローブであって、
（ａ）指カバー、親指の先を覆う親指カバー、および手全体のカバーを備えるグローブユニットと、
（ｂ）１つまたは複数の電子機器を無線で制御し、他の電子機器からの入力を受信するよう構成された制御ユニットと、
（ｃ）前記親指の前記先端に配置され、前記制御ユニットに動作可能に接続された親指セレクターと、
（ｄ）前記指カバーの長さに沿って設置され、前記制御ユニットに動作可能に接続された、１つまたは複数の指導電センサと、
（ｅ）前記機器をオンまたはオフするための、１つまたは複数のボタン、スイッチ等を備え、前記制御ユニット、前記親指セレクター、および前記指導電センサは、任意の組合せで前記指センサのいずれとも接触することにより、閉回路を形成し、１つまたは複数の遠隔電子機器の無線制御を可能にし、情報の送受信を可能にする、様に構成された、
電子的制御グローブ。
【請求項２】
各指導電センサは、前記親指セレクターによって接触された場合、遠隔電子機器に無線制御をもたらすよう事前定義された、
請求項１に記載の電子的制御グローブ。
【請求項３】
前記電子機器は、ラジオ、全地球測位装置、電話、オーディオおよび／または音楽機器、ビデオプレイヤー、車載機器制御装置から成るグループから選択される、
請求項２に記載の電子的制御グローブ。
【請求項４】
複数のライト機器を備え、前記ライト機器は、ユーザが１つまたは複数の遠隔電子機器の状態を識別することができるように、前記制御ユニットに動作可能に接続された、
請求項１に記載の電子的制御グローブ。
【請求項５】
前記ライト機器は、着用者によって容易に閲覧可能な位置で、前記電子的制御グローブに設置された、
請求項４に記載の電子的制御グローブ。
【請求項６】
前記制御ユニットを前記グローブユニットから取り外すことができるようにコネクタを備え、前記コネクタは、前記グローブユニットに恒久的に固定され、前記親指セレクターと前記指導電センサとに動作可能に接続された、
請求項１に記載の電子的グローブ。
【請求項７】
前記ユーザが前記電子的グローブを使用して、前記所望の遠隔電子機器と無線通信することができるように、前記制御ユニットに動作可能に接続されたマイクロフォンとスピーカーとを備える、
請求項１に記載の電子的グローブ。
【請求項８】
取り外し可能制御ユニットであって、
（ａ）前記取り外し可能制御ユニットの外側部分の少なくとも一部を保護するよう構成された保護カバーと、
（ｂ）前記取り外し可能制御ユニットを電子的制御衣類に接続するよう構成されたコネクタと、
（ｃ）少なくとも１つの外部電子機器を制御するよう構成された制御回路と、
（ｄ）前記取り外し可能制御ユニット、前記電子的制御衣類、または前記少なくとも１つの外部電子機器に関連した情報を表示するよう構成されたディスプレイとを備えた、
取り外し可能制御ユニット。
【請求項９】
前記電子的制御衣類は、
（ａ）電子的制御グローブを備え、前記電子的制御グローブは、
（ｉ）指カバー、親指の先端を覆う親指カバー、および手全体のカバーを備えるグローブユニットと、
（ｉｉ）前記親指の前記先端に配置され、前記制御ユニットに動作可能に接続された親指セレクターと、
（ｉｉｉ）前記指カバーの長さに沿って配置され、前記制御ユニットに動作可能に接続された１つまたは複数の指導電センサとを備え、
前記取り外し可能制御ユニット、前記親指セレクター、および前記指導電センサは、任意の組合せで前記指センサのいずれかと前記親指セレクターとを接触することで閉回路を形成し、１つまたは複数の遠隔電子機器の無線制御を可能にし、情報の送受信を可能にするよう構成された、
請求項８に記載の取り外し可能制御ユニット。
【請求項１０】
各指導電センサは、前記親指セレクターによって接触された場合、遠隔電子機器に無線制御をもたらすよう事前定義された、
請求項８に記載の取り外し可能制御ユニット。
【請求項１１】
前記電子機器は、ラジオ、全地球測位装置、電話、オーディオおよび／または音楽機器、およびビデオプレイヤーから成るグループから選択される、
請求項９に記載の取り外し可能制御ユニット。
【請求項１２】
ユーザが、遠隔電子機器、前記取り外し可能制御ユニット、および／または前記電子的制御グローブについての情報を閲覧することを可能にするであろう方法で、ディスプレイ画面が動作可能に取り付けられた、
請求項８に記載の取り外し可能制御ユニット。
【請求項１３】
ユーザの入力を前記取り外し可能制御ユニットの回路に対する動作に変換して、遠隔電子機器、前記取り外し可能制御ユニット、および／または前記電子的制御グローブと通信する方法で、前記ディスプレイ画面が動作可能に取り付けられた、
請求項８に記載の取り外し可能制御ユニット。
【請求項１４】
前記ディスプレイ画面は、ボタン、物理的制御装置、および／またはタッチ感応画面から成るグループから選択されるユーザインターフェース機構を備える、
請求項８に記載の取り外し可能制御ユニット。
【請求項１５】
前記ディスプレイ画面は、発光ダイオードディスプレイ、プラズマディスプレイ、液晶ディスプレイ、アクティブもしくはパッシブマトリクス液晶ディスプレイ；薄いフィールドトランジスタ液晶ディスプレイ、アクティブマトリクス液晶ディスプレイ、青位相ディスプレイ、垂直整列ディスプレイ、超広視野角スイッチングディスプレイ、面内切替ディスプレイ、ねじれネマチックディスプレイ、ゼロ電力液晶ディスプレイ、フェロ液晶ディスプレイ、コレステリック液晶ディスプレイ、および天頂双安定ディスプレイから成るグループから選択される、
請求項８に記載の取り外し可能制御ユニット。
【請求項１６】
内部フラッシュメモリを備える、
請求項８に記載の取り外し可能制御ユニット。
【請求項１７】
全地球測位サービス可能機器を備える、
請求項８に記載の取り外し可能制御ユニット。
【請求項１８】
内蔵電源を備える、
請求項８に記載の取り外し可能制御ユニット。
【請求項１９】
データストレージ機器を備える、
請求項８に記載の取り外し可能制御ユニット。
【請求項２０】
前記データストレージ機器は、ＳＤカード、ミニ−ＳＤカード、ｍマイクロ−ＳＤカード、およびコンピュータチップである、請求項１９に記載の取り外し可能制御ユニット。
【発明の詳細な説明】
【技術分野】
【０００１】
関連出願への相互参照
本出願は、２０１０年１０月１８日に出願された米国仮特許出願第６１／３９４，０１３号、および２０１０年１０月２０日に出願された米国仮特許出願第６１／３９４，８７９号に対する優先権を主張する。
【０００２】
本発明は、電子機器を制御するために使用することができるグローブ、およびそのための方法に関する。
【背景技術】
【０００３】
電子機器、およびインターネット、通信システム、レコーディングシステム、ならびに全地球測位装置へのインスタント無線接続は、現代社会において広く普及している。スポーツ、ドライブ、または作業環境等の主要活動で、両手および視線を必要とする活動の間、そのような機器を操作することは煩わしく、危険でさえあることを示すことが可能である。消火活動、警察の仕事、または戦場を含む国防活動等の公衆安全活動は、その活動からしばしば目や手を離すことや制御装置を見つけるために手探りすることをユーザに要求し、事故や、場合によっては死亡等の破壊的な結果をしばしば伴う。
【発明の概要】
【発明が解決しようとする課題】
【０００４】
人間の活動に伴う視線をユーザが維持することを可能にしながら遠隔電子機器に制御をもたらすこと、および活動の実地制御のより大部分をユーザが維持することを可能とすることに対する必要性が存在する。
【課題を解決するための手段】
【０００５】
本発明は、一般に、機器の無線制御を可能にする、ならびに動作を向上させるために電子機器の物理的な取り付けを可能にする電子的実行可能グローブ（ｅｌｅｃｔｒｏｎｉｃａｌｌｙ  ｃａｐａｂｌｅ  ｇｌｏｖｅ）、およびそのための方法を提供する。
【図面の簡単な説明】
【０００６】
【図１】本発明の電子的制御グローブの前面図である。
【図２】本発明の電子的制御グローブの背面図である。
【図３】内部配線が指センサからグローブの後ろの位置に引かれていることを示す、本発明の電子的制御グローブの背面図である。
【図４】本開示の一実施形態による、電子的制御グローブのための制御ユニットの閲覧画面の正面図である。
【図５】本開示の一実施形態による、電子的制御グローブのための取り外し可能制御ユニットの底面図である。
【図６】本発明の電子的制御グローブのための制御ユニットの回路基板の図であり、本開示の一実施形態による制御ユニットのケース内における回路基板の位置の図である。
【図７】本発明の電子的制御グローブであり、本発明の一実施形態による、グローブの背面における制御ユニットの位置を示す。
【図８Ａ】本発明の一実施形態による、グローブの背面における制御ユニットの位置を示し、メンテナンスまたは取り外しのために開いている蓋部材の一例を示す。
【図８Ｂ】本発明の電子的制御グローブを使用している間、制御ユニットを保護するために固定された制御ユニット蓋部材である。
【図９】親指が指のセンサに接触して回路を閉じ、制御ユニットを作動して予め決められた機能を実行する場合の、グローブの使用を示す。
【図１０】電子的制御グローブユニットから、いくつかの対象電子機器もしくは制御機能の１つまたは複数に無線で広がる送信された信号を示す。
【図１１Ａ】取り外し可能制御ユニットの接続の一実施形態である。
【図１１Ｂ】電子的制御グローブに恒久的に取り付けられるであろうコネクタへの、取り外し可能制御ユニットの取り付けの代替実施形態である。
【発明を実施するための形態】
【０００７】
本発明は、機器の無線制御を可能にする、および／または動作を向上させるために電子機器の物理的な取り付けを可能にする電子的実行可能グローブを提供する。本発明の機器は、電子機器を制御するために使用することができ、そのような電子機器には、オーディオならびに音楽機器、電話ならびに任意の信号受信マイクロプロセッサ機器、ＧＰＳ機器、例えばＤＶＲ、ＴＶ、ゲーム機器等の家庭用電化製品、例えばガレージ扉開閉装置、防犯ゲート、照明装置等の制御システム、防犯システム、ウォーキートーキー等が含まれるが、これらに限定されない。本発明のグローブはまた、第１の応答機によって、全ユニットまたは特定の個人もしくは機器への通信の実地制御のより大部分をユーザが維持することを可能にするために使用することができる。本発明のグローブはまた、軍隊によって、電子機器の通信および戦闘指揮のために使用することができる。医師またはヘルスケア提供者はまた、本発明の電子的制御グローブを使用して、他の人とのハンズフリー通信、または医療器具ならびに機器の遠隔制御を可能にすることができる。本発明のグローブは、誰によっても、機器を制御するために使用することができ、そのような機器には、無線電話、音楽プレイヤー、ビデオプレイヤー、および他の可能な電子機器ならびに製品を含むが、それらに限定されない。機器はまた、ゲームシステムでも使用可能である。さらなる使用例には、ＴＶ、オーディオシステム、ビデオゲーム、ならびに例えば遠隔制御カー等のおもちゃ等のホームシステム制御装置、コンピュータプログラム、および環境システム制御装置、さらには障がい者による機器制御が含まれる。本発明のグローブの防水版は、スキューバダイビングまたは他のウォータースポーツで使用することができる。
【０００８】
本発明の電子的制御グローブは、グローブの背面に取り付けられた制御ユニットのためのコネクタおよびハウジングと共に構成される。各指の特定のポイントに引かれ、中央制御回路に接続された電線、導電布、または任意の導電材料もしくは化合物がある。次いで、人は、制御ユニットに送られた信号を通じて、遠隔機器を制御することができる。本発明はまた、電子制御ユニットも含み、そのような電子制御ユニットには、回路、電源、信号プロセッサ／伝送機器ならびにコンピュータマイクロプロセッサユニット、ＣＰＵ、コンピュータ処理チップ等が含まれ、その用途のためのユニットを制御するためのコンピュータコードでプログラム可能である。任意選択的に、本発明のグローブは、人間が読取り可能なディスプレイを有し、およびスピーカーならびにマイクロフォンを含んでもよい。
【０００９】
代替実施形態は、導電布および／または糸を有し、スポーツや、本明細書に記載するような他の用途で使われる他の既存のグローブに後付けすることができるインナーライナーを含む。
【００１０】
図１および図２は、本発明と共に使用することができる電子的グローブユニットの、それぞれ前面図および背面図である。グローブ１０１は、ユーザの手の任意の部分または全てを覆うために使用することができる道具である。その布地は、これらに限定されないが、牛革、カンガルー、バイソン、豚皮、鹿皮、ワニ等が含まれるが、これらに限定されない、革のために使用可能な任意の獣皮からの革；羊毛、コットン、レーヨン、絹、竹、リネン、ゴム、ラテックス等の天然繊維；アセテート、アクリル樹脂、炭素繊維、ＫＥＶＬＡＲ、ネオプレン、ナイロン、ポリエステル、マイクロファイバ、ＰＶＣ、ポリプロピレン、ポリウレタン、ポリウレタン、ニトリル、合成ゴム、ビニール等の合成材料；ＴＥＭＰＥＲ−ＢＬＯＣ、ＣＯＯＬ−ＧＲＴＰ、ＳＩＬＡ−ＣＨＬＯＲ、もしくはＰＲＯＴＥＸ等の耐熱材料；ＧＯＲＥＴＥＸ等の防水材料；またはそれらの任意の組合せから作ることができる。グローブは、任意の材料で完全に裏を付けることができる、または部分的に裏を付けることができ、そのような材料には、これらに限定されないが、牛革、カンガルー、バイソン、豚皮、鹿皮、ワニ等が含まれるが、これらに限定されない、革のために使用することができる任意の獣皮からの革；羊毛、コットン、レーヨン、絹、竹、リネン、ゴム、ラテックス等の天然繊維；アセテート、アクリル樹脂、ＣＯＯＬ−ＭＡＸ、ネオプレン、ナイロン、ポリエステル；マイクロファイバ、ＰＶＣ、ポリプロピレン、ポリウレタン、ポリウレタン、ニトリル、合成ゴム、ビニール等の合成材料；耐熱材料；ＧＯＲＥＴＥＸ等の防水材料；等、またはそれらの任意の組合せが含まれる。あるいは、グローブは、任意の材料で絶縁することができ、そのような材料には、これらに限定されないが、羊毛、コットン、アセテート、アクリル樹脂、レーヨン、絹、ネオプレン、ナイロン、ポリエステル、ＴＨＩＮＳＵＬＡＴＥ、竹、リネン、マイクロファイバ、ＰＶＣ、ポリプロピレン、ポリウレタン、動物の毛皮等、またはそれらの任意の組合せが含まれる。導電パッド１０２は、各指１０５のいくつかの位置に設置され、糸、インク、塗料、配線材料等の任意の導電材料であってもよい。親指セレクターパッド１０３は、グローブ１０１の親指１０４上にあり、指に接触すると、センサ１０２が回路を閉じ、所望の機能を実行する。異なる指センサの接触により、予め決められた異なる結果を生成することが可能である。
【００１１】
本発明のスキーグローブは、スキーコースＧＰＳマーカー、トレイルダイヤモンド評価、ＩＰＯＤ制御、緊急時連絡通信、雪崩警告等を提供するための通信を含むが、これらに限定されない。グローブの材料は、スキーヤーによる寒く湿った環境での着用者の手および制御ユニットの保護のために必要とされる材料を含む。モータサイクルグローブは、モータサイクル事故の可能性に対してユーザおよび制御ユニットを保護するための高衝撃保護および指関節防具、または飛んでいる道路デブリに対する保護を含む。スキューバまたは水環境で使用するためのグローブは、水による損傷に対してグローブの電気部品を保護するよう設計され、また、高圧環境での保護もする。
【００１２】
図２は、本発明の一実施形態による電子的制御グローブの、ユーザの手のひらを外側へ向けた場合の背面図を示す。オプションの指関節防具１０６は、そのような防具が必要となるであろう、スキーグローブやモータサイクルグローブ等のそれらスポーツグローブにおけるグローブの背面１１２に提供される。追加の詰め物、装飾物、または他の装備品は、要望通りに加えることができ、それでもなお、本発明の範囲内とすることができる。１つまたは複数のボタン、スイッチ等が、機器を入れたり切ったりするために提供される。
【００１３】
図１および図２に示す機器は、各手に９個のセンサ１０２を含み、すなわち、各指１０５に対して２個のセンサ１０２、および親指１０４に対して１個のセンサ１０３を含む。しかしながら、機器は、指１０５もしくは手のひら１１０に沿って２個のセンサ、３個のセンサ、４個のセンサ（各指に少なくとも１個）、８個のセンサ、１６個のセンサ、もしくはそれらの組合せ、または追加のセンサを含むことができ、各センサに対して別々の触覚入力を提供することを可能にする分解能を有し、あるいは、１本または複数の指１０５がいずれのセンサも含まなくてもよいが、少なくとも１本の指が１つのセンサを有することを理解すべきである。本発明は、親指１０４の先、グローブ１０１の位置、または別々の位置にセレクター１０３を含み、それによりセンサ１０２をユーザによって作動することができる。各指導電センサはまた、具体的には、ユーザによって定義可能、または製造者によって予めプログラムすることができる。
【００１４】
オプションのライト１０７または他のシグナリング機器を付けてもよい。本発明のグローブはまた、任意選択的に、発光ダイオード（ＬＥＤ）、または他の発光機器１０７を含む。グローブの発光機器は、コマンドを実行するために試行が行われたことを知らせるか、そうでなければ機器の状態を識別することができる。ライトは、グローブ１０１の背面、親指１０４、または手のひら面１１０等の、ユーザがディスプレイを容易に閲覧することができるグローブの任意の場所に配置することができる。あるいは、ユニットの状態は、聴覚手段を使用して、または振動手段によって知らせることができる。
【００１５】
ユーザは、親指セレクター１０３を所定の指センサ１０２に接触して、回路を閉じることができ、次いで、電力を機器に印加し、特定の機能を実行することができる。オン・オフするスイッチが含まれ、スイッチの一実施形態が１０８で示されるが、ユーザが容易にアクセス可能なグローブまたは制御ユニットの任意の場所に配置することができる。ユーザは、所定の指センサ１０２を親指１０３に接触することによって制御されることが期待される、自動的に検出された無線機器から選択することができる。電子的制御グローブが作動した後、遠隔機器、グローブ、および取り付けられた制御ユニットは、その期待された動作を実行するはずである。便宜上、ユーザは、取り外し可能制御ユニットを取り除いて、普通のグローブとして使用してもよい。
【００１６】
図３を参照すると、図示されているのは、グローブ材料に埋め込まれたワイヤ１２０の見えない位置を示す制御グローブ１０１の背面図であり、親指セレクター１０３ならびに指センサ１０２との接触点もしくは接続点１２１を形成し、制御ユニット２００をグローブ１１２の背面に接続することができるハーネス機器１２２につながる。留め具１１８は、図のようにＶＥＬＲＯ様留め補助具、または任意の他の種類の留め具もしくは固定手段とすることができる。
【００１７】
図４は、本開示の一実施形態による、取り外し可能制御ユニット２００の図である。制御ユニット２００は、それ自体および取り付けられた機器もしくは取り付けられていない機器から情報を出力するディスプレイ画面２１０を有することができる。ディスプレイは、タッチ感応画面としてもよい。機器は、プラスチック、金属、複合材、もしくは他の適切な材料で作られた外部ケーシングまたはシェル２２０に封入してもよい。シェル２２０は、任意の実用的サイズとすることができ、幅２インチかける長さ２インチかける深さ１／４インチの寸法とすることができるが、長さ１／２インチかける幅１／２インチかける深さ１／８インチと、長さ３  １／２インチかける幅３  １／２インチかける深さ２インチとの間の任意の範囲、もしくはそれらの任意の組合せや変動値の寸法としてもよい。オプション機能ボタン２３０は、取り外し可能制御ユニットおよび／または制御ユニットによって制御される外部機器に対する機能を制御するために使用することができる。ディスプレイ画面は、ＬＥＤ、プラズマ、または液晶ディスプレイ（ＬＣＤ）とすることができる。そのような画面は、これらに限定されないが、パッシブもしくはアクティブマトリクスＬＣＤ；薄いフィールドトランジスタＬＣＤ（ｔｈｉｎ  ｆｉｅｌｄ  ｔｒａｎｓｉｓｔｏｒ  ＬＣＤ）；青色相、垂直整列、超広視野角スイッチング（ａｄｖａｎｃｅｄ  ｆｒｉｎｇｅ  ｆｉｅｌｄ  ｓｗｉｔｃｈｉｎｇ）、面内切替（ｉｎ  ｐｌａｎｅ  ｓｗｉｔｃｈｉｎｇ）、もしくはねじれネマチック等のアクティブマトリクスＬＣＤ；フェロ液晶ディスプレイ、コレステリック液晶ディスプレイ、天頂双安定機器（ｚｅｎｉｔｈａｌ  ｂｉｓｔａｂｌｅ  ｄｅｖｉｃｅ）等のゼロ電力（双安定）ＬＣＤ；またはそれらの組合せを含む。機能ボタン２３０はそれぞれ、別々の機能を有し、オン・オフしたり、画面をより明るくする、ボリュームの制御等のためのプッシュボタン、トグルスイッチ等とすることができ、または同じ機能をタッチ画面の使用を通じて実現することができる。画面は、カラーまたはモノクロームディスプレイとすることができる。
【００１８】
図５は、制御ユニット２００の底面図を示し、グローブへの接続を実現することができるコネクタポータル２４０の一実施形態を示す。機器２００は、無線インターフェース回路、無線によるラジオ受信回路、スピーカー、マイクロフォン、光源、フラッシュメモリ、ボタンならびに物理的制御装置、タッチ感応画面、外部データカードアクセスのためのポートを含むことができる。
【００１９】
機器２００は、無線によるデジタルまたはアナログ信号受信のための回路を有することができる。機器２００は、内蔵の光源を有することができる。機器２００は、スピーカー等の１つまたは複数の音源を有することができ、有さなくてもよい。機器は、１つまたは複数のマイクロフォンおよび録音装置を有することができる。機器は、任意選択的に、フラッシュメモリ、または他の内蔵メモリ位置を有し、ファイルおよび音楽を保存することができる。機器は、ＰＣまたは他の外部機器と連動するためのポートを有することができる。機器は、連動するためにＳＤカード等の外部データカードのためのポートを有することができる。機器は、遠隔もしくはローカル機器と、および／または電子的制御グローブと無線で連動するための回路を有することができる。機器は、無線信号を通じて１つまたは複数の機器と無線で通信することができる。無線接続は、遠隔機器と確立することができ、電子的制御グローブ内の移動を通じて、もしくは機器それ自体を通じて、ユーザの動作を通じて制御される。無線通信は、赤外線（ＩＲ）もしくはブルートゥース等の任意の既知のパーソナルエリアネットワークプロトコルを通じて、またはＷｉ−Ｆｉ、無線周波（ＲＦ）、それらの組合せ等を通じて実現することができる。あるいは、機器は、ＵＳＢ、または追加のプログラムや情報をダウンロードするために有用な同様の通信アクセスを有することができる。
【００２０】
オンボード回路は、意図したとおりに動作するよう、いくつかの、または全ての必要な部品を備える。当分野で既知である適切な接地は、グローブおよび制御ユニット回路に含まれる。格納された回路の全てはディスプレイインターフェースに接続することができ、人がディスプレイ画面を理解するために必要な画像を生成する。
【００２１】
図６は、制御ユニット２００の外部ケーシング２２０に配置される、回路基板３００を示す。コネクタ３１０は、制御ユニット２００を恒久的コネクタ機器１２２で電子的制御グローブに嵌めることができるように配置される。取り外し可能ユニットにおいて、図７に示すように、ユーザは、制御ユニット２００をグローブから、要望通りに取り付けまたは取り外すことができる。回路基板は、これらに限定されないが、抵抗器３０１、電源装置３０２（視界の後ろ）、ＬＥＤもしくは同様のアラート手段３０３、コンデンサ３０４、トランジスタ３０５、リセットボタン３０６、コネクタ３１０、マイクロプロセッサ、もしくは同様のコンピュータチッププロセッサ３１２、ブルートゥース無線機器３２０、および将来使用するためのスロット３３０を備える。さらに、図７は、ユーザによってアクセスしやすいように、グローブの背面に制御ユニット２００を配置することを示す。構成要素の位置は変えることができ、ならびに、列挙した構成要素に対する機能的同等物が本発明に含まれることが理解されよう。
【００２２】
グローブおよび取り外し可能制御ユニットは、それらを共に接合するコネクタを有する。取り外し可能制御ユニットは、電子的接続ストリップ１２４を介して、図７に示すような場所に「嵌る」、あるいは制御ユニットは、前記制御ユニット２００に封止してある保護材料で、グローブに恒久的に固定することができる。図８Ａ（カバー１１４が開いている）および図８Ｂ（カバー１１４が閉じている）に示すように取り外し可能制御ユニットが取り付けられない場合、エクストラカバー１１４でグローブ接続点を保護することができる。
【００２３】
ユーザが有する広い選択オプションを通じて、ユーザは、多くの無線接続された機器、取り付けられたアクセサリ、および図１０に示すような様々な機器にわたって完全な制御を与えるそれらの機能を順に切り替えることができ、そのような機能には、これらに限定されないが、再生、一時停止、早送り／巻き戻し／次トラック、前トラック、ボリュームアップ、ボリュームダウン、電話応答／通話拒否／通話開始、所定通話開始／ボイスコマンド、ＧＰＳ位置追尾、オーディオビーコン生成、光ビーコン生成、インターコム通信、オン・オフ動作、スピーカーフォン、状態識別、健康モニタリング、ガレージドア制御、車両コマンド等のスマートフォンならびに非スマートフォン制御装置が含まれる。ユニットと通信することができる機器は、これらに限定されないが、携帯電話、コンピュータ、車両ならびにその構成要素、他の電子的グローブ等が含まれる。振動、オーディオおよびビデオ信号が組み込まれ、ユーザに通知することができる。
【００２４】
機器は、様々な手のサイズに合うように、様々なサイズで利用可能とすることができる。手のカバーは、任意の材料または材料の組合せで作ることができ、そのような材料は、これらに限定されないが、革、布、プラスチック、および金属、もしくはそれらの組合せを含む。機器は、１カ所または複数の指先、または機器の他の場所に１つまたは複数の触覚、静電性、導電性、または他のセンサ／ボタンを備えることができる。グローブのセンサは、メイン回路と通信することができる。機器の任意のもしくは全ての回路は、図９に示すような任意の組合せの、もしくは単独の動作で、１つまたは複数のセンサを作動することによって制御することができる。親指を所望の指センサに接触することによって起動するとき、遠隔機器は、オフおよびおｎを切り替えることができ、または、ユーザの親指でセンサを繰り返し接触することで、予め決められた選択を順に切り替えることによって、逐次選択により制御することができる。
【００２５】
制御ユニットの回路は、信号を無線信号に変換することができ、それにより、無線で繋がった機器と通信することができる。メイン回路はまた、動作を向上するために、外部のアクセサリと通信することができる。接地は、当分野で既知であるように、グローブ回路内、または制御ユニット上に提供される。
【００２６】
ソフトウェアは、人間による直接入力をするため、および２つ以上の機器の間で通信させるために使われる。制御ユニットと遠隔機器との間のそのような通信は、機器からの、および機器への双方向通信を含む。そのような実施形態は、画面２１０に表示される、あるいは、グローブのライト機器を通じて、もしくは聴覚手段を通じて知らせる、外部プログラムの受信を含むことができる。
【００２７】
機器は、性能を向上するための電子的アクセサリを安全に接続するための場所に配置されたであろう。機器は、内蔵の保護された回路を有し、遠隔制御可能な機器に無線アクセスを提供することができる。機器は、任意選択的に、無線によるラジオ放送を受信するための一体型ラジオアンテナを有することができる。
【００２８】
機器は、ファイル、音楽等を格納するために、ボード上に内蔵フラッシュメモリを有することができる。機器は、ＧＰＳ可能機器を内蔵することができる。機器は、内蔵バッテリー電源を有することができる。機器は、ＳＤカード等のデータストレージ機器を挿入するための場所を有することができる。
【００２９】
機器は、他の機器からのフィードバックを人が制御および受信することを可能にする能力を有することができる。本発明を行うために、回路基板は、ボード上の適切な構成要素および外部インターフェースへの接続で構築することができる。回路基板を保持するシェルを生成することができる。ディスプレイ機器をシェルに取り付けることができる。機器は、次いで、必要に応じて動作するようにプログラムすることができる。機器は、次いで、電子的制御グローブに取り付けられる。
有用な実施例
モータサイクル制御グローブ
【００３０】
本発明のグローブは、モータサイクルユーザによる使用に適切な電子的制御グローブを含む。前記モータサイクル制御グローブは、岩ならびに道路デブリからの、または道路事故の場合における損傷からユーザならびに制御ユニットを保護する方法で製造された。グローブは、耐水材料で作られ、図２に示すような指関節保護具１０６を含む。
【００３１】
図１１Ａおよび図１１Ｂは、制御ユニットをコネクタに接続する代替実施形態を示す。図１１Ａは、コネクタが上部で開いた状態を示し、制御ユニットをコネクタハウジング４３０に導いてロックするチャネル４１０をの位置を調整することによって、制御ユニット２００をコネクタ４００に嵌めることができる。電子的コネクタポート４２０は、制御ユニットをグローブの電子装置に接続することを可能にする。図１１Ｂは、代替コネクタ５００を示し、封入されたコネクタユニットハウジング５３０に制御ユニットを導いてロックするチャネル５１０の位置を調整することによって、制御ユニット２００を滑り込ませることができる。電子的コネクタポート５２０は、制御ユニットをグローブの電子装置に接続することを可能にする。
【００３２】
ここでは本発明を完全に説明したが、同じことが、本発明またはその任意の実施形態の範囲を逸脱することなく、条件、構築、並びに他のパラメータの広範囲の、ならびに同等の範囲内で実行されることが可能であることが当業者に理解されるであろう。本明細書に引用した、参照された優先権書類を含む全ての特許および刊行物は、その全体が参照により組み込まれる。
【図１】
2013546057.tif 000003
【図２】
2013546057.tif 000004
【図３】
2013546057.tif 000005
【図４】
2013546057.tif 000006
【図５】
2013546057.tif 000007
【図６】
2013546057.tif 000008
【図７】
2013546057.tif 000009
【図８Ａ】
2013546057.tif 000010
【図８Ｂ】
2013546057.tif 000011
【図９】
2013546057.tif 000012
【図１０】
2013546057.tif 000013
【図１１Ａ】
2013546057.tif 000014
【図１１Ｂ】
2013546057.tif 000015
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
電子的制御グローブであって、
（ａ）指カバー、親指の先を覆う親指カバー、および手の各指の上を覆うカバーを備えるグローブユニットと、
（ｂ）１つまたは複数の電子機器を無線で制御し、他の電子機器からの入力を受信するよう構成された取り外し可能制御ユニットと、
（ｃ）前記親指の前記先端に配置され、前記制御ユニットに動作可能に接続された導電親指セレクターと、
（ｄ）前記指カバーの長さに沿って設置され、前記取り外し可能制御ユニットに動作可能に接続された、１つまたは複数の指導電センサと、
（ｅ）前記機器をオンまたはオフするための１つまたは複数のボタン、スイッチ等を備え、
（ｆ）前記取り外し可能制御ユニット、前記導電親指セレクター、および前記指導電センサは、任意の組合せで前記指センサのいずれかと前記親指セレクターとを接触することにより、閉回路を形成し、１つまたは複数の遠隔電子機器の無線制御および直接制御を可能にし、情報の送受信を可能にするように構成され、
（ｇ）各指の導電センサは、前記親指セレクターによって接触された場合、遠隔電子機器に対して無線制御を提供するように事前定義されており、
（ｈ）前記取り外し可能制御ユニットは、
（ｉ）前記取り外し可能制御ユニットの外側部分の少なくとも一部を保護するように構成された保護カバーと、
（ｉｉ）前記取り外し可能制御ユニットを電子的制御衣類に接続するように構成された接続可能なコネクタと、
（ｉｉｉ）少なくとも１つの外部電子的機器を直接制御するよう構成された制御回路と、
（ｉｖ）内部フラッシュメモリと、
（ｖ）内蔵電源と、
（ｖｉ）データストレージ機器と、
（ｖｉｉ）信号プロセッサ／伝送機器と、
（ｖｉｉｉ）前記取り外し可能制御ユニットを制御するためのコンピュータコードでプログラム可能であるコンピュータマイクロプロセッサユニットと
を備える、電子的制御グローブ。
【請求項２】
前記遠隔電子機器は、ラジオ、全地球測位装置、電話、オーディオおよび／または音楽機器、ビデオプレイヤー、電子ビデオ装置、信号受信マイクロプロセッサ機器、ガレージ扉開閉装置、防犯ゲート、防犯システム、ウォーキートーキー、軍隊戦術制御装置、医療器具、環境システム制御装置、車載機器制御装置から成るグループから選択される、請求項１に記載の電子的制御グローブ。
【請求項３】
複数のライト機器を備え、前記ライト機器は、ユーザが１つまたは複数の遠隔電子機器の状態を識別することができるように、前記制御ユニットに動作可能に接続される、請求項１に記載の電子的制御グローブ。
【請求項４】
前記ライト機器は、着用者によって容易に閲覧可能な前記グローブの表面上の位置で、前記電子的制御グローブに設置される、請求項３に記載の電子的制御グローブ。
【請求項５】
前記制御ユニットを前記グローブユニットから取り外すことができるようにコネクタを備え、前記コネクタは、前記グローブユニットに恒久的に固定され、前記親指セレクターと前記指導電センサとに動作可能に接続される、請求項１に記載の電子的制御グローブ。
【請求項６】
制御ユニットであって、
（ａ）前記制御ユニットの外側部分の少なくとも一部を保護するよう構成された保護カバーと、
（ｂ）前記制御ユニットを電子的制御衣類に接続可能なコネクタと、
（ｃ）少なくとも１つの外部電子機器を直接制御するよう構成された制御回路と、
（ｄ）内部フラッシュメモリと、
（ｅ）内蔵電源と、
（ｇ）データストレージ機器と、
（ｈ）信号プロセッサ／伝送機器と、
（ｉ）前記制御ユニットを制御するためのコンピュータコードでプログラム可能であるコンピュータマイクロプロセッサユニットと
を備えた、制御ユニット。
【請求項７】
前記電子的制御衣類は、
電子的制御グローブを備え、前記電子的制御グローブは、
（ａ）指カバー、親指の先端を覆う親指カバー、および手の各指の上を覆うカバーを備えるグローブユニットと、
（ｂ）前記親指の前記先端に配置され、前記制御ユニットに動作可能に接続された導電親指セレクターと、
（ｃ）前記指カバーの長さに沿って配置され、前記制御ユニットに動作可能に接続された１つまたは複数の指導電センサと、
（ｄ）前記機器をオンまたはオフするための１つまたは複数のボタン、スイッチ等と
を備え、
（ｅ）前記制御ユニット、前記親指セレクター、および前記指導電センサは、任意の組合せで前記指センサのいずれかと前記親指セレクターとを接触することにより、閉回路を形成し、１つまたは複数の遠隔電子機器の無線制御を可能にし、情報の送受信を可能にするように構成され、
（ｆ）各指の導電センサは、前記親指セレクターによって接触された場合、遠隔電子機器に対して無線制御を提供するように事前定義されている、請求項６に記載の制御ユニット。
【請求項８】
前記電子機器は、ラジオ、全地球測位装置、電話、オーディオおよび／または音楽機器、ビデオプレイヤー、電子ビデオ装置、信号受信マイクロプロセッサ機器、ガレージ扉開閉装置、防犯ゲート、防犯システム、ウォーキートーキー、軍隊戦術制御装置、医療器具、環境システム制御装置、および車載機器制御装置から成るグループから選択される、請求項６に記載の制御ユニット。
【請求項９】
ユーザが、遠隔電子機器、前記制御ユニット、および／または前記電子的制御グローブについての情報を閲覧することを可能にするであろう方法で、ディスプレイ画面が動作可能に取り付けられる、請求項６に記載の制御ユニット。
【請求項１０】
前記データストレージ機器は、ＳＤカード、ミニ−ＳＤカード、マイクロ−ＳＤカード、およびコンピュータチップである、請求項６に記載の制御ユニット。
【手続補正２】
【補正対象書類名】明細書
【補正対象項目名】０００５
【補正方法】変更
【補正の内容】
【０００５】
本発明は、一般に、機器の無線制御を可能にする、ならびに動作を向上させるために電子機器の物理的な取り付けを可能にする電子的実行可能グローブ（ｅｌｅｃｔｒｏｎｉｃａｌｌｙ  ｃａｐａｂｌｅ  ｇｌｏｖｅ）、およびそのための方法を提供する。
例えば、本願発明は以下の項目を提供する。
（項目１）
電子的制御グローブであって、
（ａ）指カバー、親指の先を覆う親指カバー、および手全体のカバーを備えるグローブユニットと、
（ｂ）１つまたは複数の電子機器を無線で制御し、他の電子機器からの入力を受信するよう構成された制御ユニットと、
（ｃ）前記親指の前記先端に配置され、前記制御ユニットに動作可能に接続された親指セレクターと、
（ｄ）前記指カバーの長さに沿って設置され、前記制御ユニットに動作可能に接続された、１つまたは複数の指導電センサと、
（ｅ）前記機器をオンまたはオフするための、１つまたは複数のボタン、スイッチ等を備え、前記制御ユニット、前記親指セレクター、および前記指導電センサは、任意の組合せで前記指センサのいずれとも接触することにより、閉回路を形成し、１つまたは複数の遠隔電子機器の無線制御を可能にし、情報の送受信を可能にする、様に構成された、
電子的制御グローブ。
（項目２）
各指導電センサは、前記親指セレクターによって接触された場合、遠隔電子機器に無線制御をもたらすよう事前定義された、
項目１に記載の電子的制御グローブ。
（項目３）
前記電子機器は、ラジオ、全地球測位装置、電話、オーディオおよび／または音楽機器、ビデオプレイヤー、車載機器制御装置から成るグループから選択される、
項目２に記載の電子的制御グローブ。
（項目４）
複数のライト機器を備え、前記ライト機器は、ユーザが１つまたは複数の遠隔電子機器の状態を識別することができるように、前記制御ユニットに動作可能に接続された、
項目１に記載の電子的制御グローブ。
（項目５）
前記ライト機器は、着用者によって容易に閲覧可能な位置で、前記電子的制御グローブに設置された、
項目４に記載の電子的制御グローブ。
（項目６）
前記制御ユニットを前記グローブユニットから取り外すことができるようにコネクタを備え、前記コネクタは、前記グローブユニットに恒久的に固定され、前記親指セレクターと前記指導電センサとに動作可能に接続された、
項目１に記載の電子的グローブ。
（項目７）
前記ユーザが前記電子的グローブを使用して、前記所望の遠隔電子機器と無線通信することができるように、前記制御ユニットに動作可能に接続されたマイクロフォンとスピーカーとを備える、
項目１に記載の電子的グローブ。
（項目８）
取り外し可能制御ユニットであって、
（ａ）前記取り外し可能制御ユニットの外側部分の少なくとも一部を保護するよう構成された保護カバーと、
（ｂ）前記取り外し可能制御ユニットを電子的制御衣類に接続するよう構成されたコネクタと、
（ｃ）少なくとも１つの外部電子機器を制御するよう構成された制御回路と、
（ｄ）前記取り外し可能制御ユニット、前記電子的制御衣類、または前記少なくとも１つの外部電子機器に関連した情報を表示するよう構成されたディスプレイとを備えた、
取り外し可能制御ユニット。
（項目９）
前記電子的制御衣類は、
（ａ）電子的制御グローブを備え、前記電子的制御グローブは、
（ｉ）指カバー、親指の先端を覆う親指カバー、および手全体のカバーを備えるグローブユニットと、
（ｉｉ）前記親指の前記先端に配置され、前記制御ユニットに動作可能に接続された親指セレクターと、
（ｉｉｉ）前記指カバーの長さに沿って配置され、前記制御ユニットに動作可能に接続された１つまたは複数の指導電センサとを備え、
前記取り外し可能制御ユニット、前記親指セレクター、および前記指導電センサは、任意の組合せで前記指センサのいずれかと前記親指セレクターとを接触することで閉回路を形成し、１つまたは複数の遠隔電子機器の無線制御を可能にし、情報の送受信を可能にするよう構成された、
項目８に記載の取り外し可能制御ユニット。
（項目１０）
各指導電センサは、前記親指セレクターによって接触された場合、遠隔電子機器に無線制御をもたらすよう事前定義された、
項目８に記載の取り外し可能制御ユニット。
（項目１１）
前記電子機器は、ラジオ、全地球測位装置、電話、オーディオおよび／または音楽機器、およびビデオプレイヤーから成るグループから選択される、
項目９に記載の取り外し可能制御ユニット。
（項目１２）
ユーザが、遠隔電子機器、前記取り外し可能制御ユニット、および／または前記電子的制御グローブについての情報を閲覧することを可能にするであろう方法で、ディスプレイ画面が動作可能に取り付けられた、
項目８に記載の取り外し可能制御ユニット。
（項目１３）
ユーザの入力を前記取り外し可能制御ユニットの回路に対する動作に変換して、遠隔電子機器、前記取り外し可能制御ユニット、および／または前記電子的制御グローブと通信する方法で、前記ディスプレイ画面が動作可能に取り付けられた、
項目８に記載の取り外し可能制御ユニット。
（項目１４）
前記ディスプレイ画面は、ボタン、物理的制御装置、および／またはタッチ感応画面から成るグループから選択されるユーザインターフェース機構を備える、
項目８に記載の取り外し可能制御ユニット。
（項目１５）
前記ディスプレイ画面は、発光ダイオードディスプレイ、プラズマディスプレイ、液晶ディスプレイ、アクティブもしくはパッシブマトリクス液晶ディスプレイ；薄いフィールドトランジスタ液晶ディスプレイ、アクティブマトリクス液晶ディスプレイ、青位相ディスプレイ、垂直整列ディスプレイ、超広視野角スイッチングディスプレイ、面内切替ディスプレイ、ねじれネマチックディスプレイ、ゼロ電力液晶ディスプレイ、フェロ液晶ディスプレイ、コレステリック液晶ディスプレイ、および天頂双安定ディスプレイから成るグループから選択される、
項目８に記載の取り外し可能制御ユニット。
（項目１６）
内部フラッシュメモリを備える、
項目８に記載の取り外し可能制御ユニット。
（項目１７）
全地球測位サービス可能機器を備える、
項目８に記載の取り外し可能制御ユニット。
（項目１８）
内蔵電源を備える、
項目８に記載の取り外し可能制御ユニット。
（項目１９）
データストレージ機器を備える、
項目８に記載の取り外し可能制御ユニット。
（項目２０）
前記データストレージ機器は、ＳＤカード、ミニ−ＳＤカード、ｍマイクロ−ＳＤカード、およびコンピュータチップである、項目１９に記載の取り外し可能制御ユニット。
【国際調査報告】
2013546057.tif 000016